(57)【要約】【課題】温熱治療用均等低温サウナ装置として、サウナ室内の全体を均一に一定温度に維持することが容易で、患者の安全性を確保しつつ優れた温熱治療効果を安定的に発揮できるものを提供する。【解決手段】乾熱雰囲気を保持するサウナ室１の内壁１１ａ面に沿つて温熱治療用ベッド２が配置され、ベッド２に沿う内壁１１a 面と、ベッド床部２ａ及び室内通路床部１２a の下方とに、電熱式遠赤外線パネルヒータ３…  が設けられ、ベッド２から離間した位置に、パネルヒータ２よりも高出力の据置型の電熱式遠赤外線メインヒータ４が設置され、サウナ室１内の温度を測定する温度センサ５と、温度センサ５の演Ｊ定値に基づいてメインヒータ4 をオン・オフしてサウナ室１内を設定温度に制御するコントローラ６とを具備してなる。【選択図】図３
2008142397.tif 000002
【特許請求の範囲】
【請求項１】
乾熱雰囲気を保持するサウナ室の内壁面に沿つて温熱治療用ベッドが配置され、このベッドに沿う内壁面と、ベッド床部及び室内通路床部の下方とに、電熱式遠赤外線パネルヒータが設けられると共に、該ベッドから離問した位置に、該パネルヒータよりも高出力の据置型の電熱式遠赤外線メインヒータが設置され、サウナ室内の温度を測定する温度センサと、この温度センサの測定値に基づいて前記メインヒータをオン・オフしてサウナ室内を天井から床まで均等の設定温度に制御するコントローラとを具備してなる温熱治療用均等低温サウナ装置。
【請求項２】
前記のベッド床部及び室内通路床部が簀の子構造をなす請求項1 記載の温熱治療用均等低温サウナ装置。
【請求項３】
温熱治療用ベッド側の内壁面に対向する内壁面に沿ってベンチが配置され、このベンチに沿う内壁面と、ベンチ座部下とに、電熱式遠赤外線パネルヒータが設けられてなる請求項１又は２に記載の温熱治療用均等低温サウナ装置。
【発明の詳細な説明】
【技術分野】
【０００１】
本発明は、慢性心不全、閉塞性動脈硬化症、膠原病や悪性リンパ腫などに伴う難治性潰瘍、人工透析患者の皮膚掻痒、慢性疲労症候群、繊維性筋肉痛を含む慢性疼痛、術後腸閉塞などの治療、および糖尿病など生活習慣病の血管機能不全の改善やシェーグレン症候群など自己免疫疾患の治療、不眠・食欲不振・便秘・抑うつ気分など全身状態の改善などに用いられる乾熱式の温熱治療用均等低温サウナ装置に関する。
【背景技術】
【０００２】
一般的にサウナ浴は、サウナ室内に電気ヒータおよび蒸気発生器を配置して室内を８０℃〜１００℃の湿熱雰囲気に保持するようになつており、健常者にとつては積極的に発汗を促して心身のリラックス効果や疲労回復等に有効であるが、心不全、高血圧あるいは不整脈等の患者や高齢者にとつては心臓や血管系の負担が大きくなるために不適切であるとされていた。
【０００３】
しかるに、近年、気持ちよい低温サウナ浴により全身の動脈・静脈の拡張作用に加え、自律神経機能や神経体液性ホルモン分泌の改善、血管新生作用や精神的・身体的ストレスの寛解作用により、慢性心不全、閉塞性動脈硬化症、膠原病や悪性リンパ腫などに伴う難治性潰瘍、人工透析患者の皮膚掻痒、慢性疲労症候群、繊維性筋肉痛を含む慢性疼痛、術後腸閉塞を含む術後回復の治療、糖尿病など生活習慣病の血管機能不全の改善、シェーグレン症候群など自己免疫疾患の治療、さらに不眠・食欲不振・便秘・抑うつ気分などの全身状態が有意に改善することを明らかにした。これらの効果は適切な入浴温度・入浴時間・入浴後の管理によつて得られることが判明しており、特に乾熱式でサウナ浴の温度をほぼ均等に60℃付近に保つことにより、患者の血管内皮細胞から産生される一酸化窒素合成酵素 (eNOS) の発現が有意に増加して、血管拡張と血管新生も促進されることを確認している。例えば糖尿病の合併症の一つである閉塞性動脈硬化症に極めて有効で、疼痛軽減・歩行距離延長・難治性潰瘍の治癒・下肢/ 上肢の血圧比の改善・レーザードプラー血流の改善などが得られ、ハムスターやマウスを用いた動物実験により、一酸化窒素合成酵素 (eNOS) の著明な発現がその効果発現機序に深く関与していることも明らかにしている。このような温熱療法に用いる均等低温サウナ装置として、ガス遠赤外線ヒータと、天井側の電熱ヒータとを設けたものが提案されている (特許文献１）。
【特許文献１】実公平６−５７９０号公報
【発明の開示】
【発明が解決しようとする課題】
【０００４】
ところで、温熱治療用の均等低温サウナ装置として、患者の負担を極力少なくして安全性を確保しつつ、上述の温熱治療効果を充分に且つ安定的に発揮させるには、サウナ室内を均一に一定温度に維持することが肝要である。しかしながら、従来のサウナ装置ではサウナ室内の温度変動を生じ易い上に、サウナ室内の天丼部と床部、室内中央部と周辺隅部等の部位による温度差が大きく、安定した温熱治療効果が得られにくいという問題があつた。
【０００５】
本発明は、上述の情況に鑑み、サウナ室内の全体を均一に一定温度に維持することが容易で、患者の安全性を確保しつつ優れた温熱治療効果を安定的に発揮できる温熱治療用の均等低温サウナ装置を提供することを目的としている。
【課題を解決するための手段】
【０００６】
上記の目的を達成するために、請求項１に記載の発明に係る温熱治療用均等低温サウナ装置は、図面の参照符号を付して示せば、乾熱雰囲気を保持するサウナ室１の内壁( 右壁１１ａ）面に沿つて温熱治療用ベッド２が配置され、このベッド２に沿う内壁面と、ベッド床部２ａ及び室内通路床部１２ａの下方とに、電熱式遠赤外線パネルヒータ3 …  が設けられると共に、該ベッド２から離間した位置に、該パネルヒータ２よりも高出力の据置型の電熱式遠赤外線メインヒータ４が設置され、サウナ室１内の温度を測定する温度センサ５と、この温度センサ５の測定値に基づいて前記メインヒータ４をオン・オフしてサウナ室１内を設定温度に制御するコントローラ６を具備してなる。
【０００７】
請求項２に記載の発明は、上記請求項１の温熱療法用均等低温サウナ装置において、ベッド床部２ａ及び室内通路床部１２ａが簀の子構造をなすものとしている。
【０００８】
請求項３に記載の発明は、上記請求項１又は２に記載の温熱治療用均等低温サウナ装置において、温熱治療用べッド２側の内壁( 右壁１１ａ）面に対向する内壁( 左壁１１ｂ）面に沿つてベンチ７が配置され、このベンチ７に沿う内壁面と、ベンチ座板７ａ下とに、電熱式遠赤外線パネルヒータ３…が設けられてなるものとしている。
【発明の効果】
【０００９】
請求項１に記載の発明に係る温熱治療用均等低温サウナ装置によれば、サウナ室内の温熱治療用ベッドに沿う内壁面とベッド床部下及び室内通路床部下とに電熱式遠赤外線パネルヒータを有すると共に、このパネルヒータよりも高出力の据置型の電熱式遠赤外線メインヒータを備え、コントローラによつて該メインヒータを室内の温度設定に基づいてオン・オフする構成であるから、前記メインヒータを昇温用として随時稼働、前記パネルヒータを常時稼働とすることにより、使用開始時にメインヒータでサウナ室内を設定温度まで急速に昇温させた上で、パネルヒータにてサウナ室内の全体の乾熱雰囲気を均一に該設定温度付近に保つことができ、また患者や医師及び看護者の出入り等に伴う室温低下もメインヒータの自動的作動で直ちに回復できる。しかして、一般的に患者が横になる温熱治療用ベッド近傍では、当該ベッドに沿う内壁面及びベッド床部下のパネルヒータの遠赤外線により穏やかに加温され、且つメインヒータは当該ベッドから離間しているから、温熱治療に最適な温度条件を極めて安定して維持でき、もつて患者の負担を極力少なくして安全性を確保しつつ、優れた温熱治療効果を発揮できる。また、メインヒータ及びバネルヒータが共に電熱式であり、燃焼ガスの発生がなく、不完全燃焼で有害ガスを生じる懸念もないので、医療・治療施設で安全に用いるのに適している。
【００１０】
請求項2 に記載の発明によれば、上記の温熱治療用均等低温サウナ装置において、ベッド床部及び室内通路床部が簀の子構造をなすから、その下方のパネルヒータにて加温された下部空間の空気が簀の子構造の隙間から上昇し、もつてサウナ室内が効率よく温められ、熱効率の向上によるエネルギーコストの低減に繋がる。
【００１１】
請求項３に記載の発明によれば、上記の温熱治療用均等低温サウナ装置において、温熱治療用ベッドの対向位置にベンチが配置され、このベンチに沿う内壁面とベンチ座板下とに電熱式遠赤外線パネルヒータを有するから、該ベンチを利用して患者が座つた姿勢でも温熱治療を行うことができ、患者の身体状況に応じてベンチとベッドを使い分けることが可能で、両方を用いて複数の患者に同時に温熱治療用を施すことも可能となる。そして、この座つた姿勢での温熱治療においても、該ベンチに沿う内壁面とベンチ座板下のパネルヒータにて間近から穏やかに加温されるため、温熱治療に最適な温度条件を極めて安定して維持できる上、サウナ室の対向する両側にパネルヒータが配置する形になるから、サウナ室内の全体をより均一に設定温度付近に保つことができる。
【発明を実施するための最良の形態】
【００１２】
以下に、本発明に係る温熱療法用の均等低温サウナ装置の一実施形態について、図面を参照して具体的に説明する。図１は温熱治療用均等低温サウナ装置を設置した治療棟の一部を示す横断平面図、図２は同サウナ装置の横断平面図、図３は図２の４―Ａ線の断面矢視図、図４は図２のＢ一Ｂ線の断面矢視図、図５は図２のＣ―Ｃ線の断面矢祝図、図６は図２のＤ―Ｄ線の断面矢視図である。
【００１３】
図１に示すように、鉄筋コンクリート建屋である治療棟８の治療フロア８０には、その外壁８ａ側に接して温熱治療用均等低温サウナ装置のサウナ室１、１が扉１３を内向きに設置されると共に、このサウナ室１の側方に温熱治療後の安静に用いる複数台の簡易ベッド９…が配置されている。しかして、各サウナ室１は、平面視略正方形で、その左側角部が治療棟８の柱部８ｃの出つ張りに対応して凹陥している。なお、図１中、８２は治療フロア８０と廊下８１とを隔てる中間壁８ｂに設けた引戸式出入日、８３は治療フロア８０を区切る仕切り壁、８４は隣接するサウナ室１、1 の間の隔壁、８５はサウナ室１の右側面の外側に配置した耐火壁、８６はサウナ室１と簡易ベッド９−の設置部との間に設けられたアコーディンカーテンである。
【００１４】
図２〜図６に示すように、各サウナ室１は、前面側に台車型ストレッチャごと出入り可能な幅員を持つドアクローザ１３ａ付きの出入口扉１３を備え、室内には、該出入口扉１３位置から外れた右側に温熱治療用ベッド2 が、同じく左側にベンチ７が各々壁際に沿つて配置され、左奥隅部に電熱式遠赤外線メインヒータ４が設置されており、ベッド２とベンチ７との間に、台車型ストレッチャが左右両側に余裕をもつて入り込み得るスペースを確保している。しかして、メインヒータ４は、暖気対流用のファンを内臓する縦長の据置型で、その前面側には防護柵41が設けられると共に、ベッド２に臨む右側には衝立４２が設置されている。
【００１５】
ベッド２の床部２ａ及び側板部２ｂ、ベンチ７の座部７ａ及び側板部ｂ、通路床部１２a は、何れも簀の子構造を有しており、ベッド２の床部２ａ下には前後２基、通路床部１２a 下には左右２基、ベンチ７の座部７ａ下には１基の電熱式遠赤外線パネルヒータ３がそれぞれ設置されている。また、サウナ室１の左右側壁１１ａ、１１ｂの内壁面には、ベッド２に沿う壁際の前後２ヵ所と、ベンチ７に沿う壁際の１ヵ所にも、表面を火傷防止用の植毛ネットカバー３ａで覆つた電熱式遠赤外線パネルヒータ３が設置されている。
【００１６】
なお、パネルヒータ３及びメインヒータ４は、電熱式による遠赤外線放射用として、例えば、絶縁基板に炭素粉末とポリエチレン等の結合材を混合したものを塗布して所要の電気抵抗を有する抵抗膜を形成し、全長にわたつて導線を取り付け、表面に電気不良導体の耐熱防水膜を被着した構成であり、その構造自体は周知のものである。しかして、パネルヒータ３…  としては例えば２〜４ＫＷ／Ｈ程度の出力を持つものが使用されるが、メインヒータ４にはパネルヒータ３…  よりも高出力の10ＫＷ／Ｈ程度のものが使用される。
【００１７】
前壁１１c には、出入口扉１３の右側に内部状況を視認するためのガラス窓１４が設けられると共に、出入口扉１３の左側の外面にメインヒータ４をオン・オフしてサウナ室１内の気温を設定範囲に制御するコントローラ６が取り付けられる一方、内面側におけるベッド２近傍に非常通報用押しボタン１５（図４）が設けてある。また、後壁１１ｄの内面側上部には、温度センサ５及び温度計16が取り付けられている。更に、天井１０の内面略中央には火災感知器１７ａが設けられ( 図３参照) 、この火災感知器１７ａに対応する警報ベル１７がベンチ７下の右側壁１１a 内面側に取り付けられている( 図４参照) 。１８は各サウナ室１内の照明具であり、右側壁１１a の後寄り上部と、左側壁１１b の前寄り上部の２か所に設けてある。
【００１８】
サウナ室１の天井１０と四周の壁１１a 〜１１ｄは、石富ボードと耐水ベニヤ板との間にグラスツールを挟んだ不燃・断熱性の積層パネルにて構成されている。また、底板もカルストーン貼りの不燃材からなつている。
【００１９】
上記構成の温熱治療用均等低温サウナ装置は、通常の使用では、遠赤外線パネルヒータ３…  を常時稼働させる一方、遠赤外線メインヒータ４を使用開始時及び温度低下時の昇温用としてコントローラ６の制御下で随時稼働させる。すなわち、使用開始時にはパネルヒータ３…  とメインヒータ４が共に稼働し、とりわけ高出力のメインヒータ４によつてサウナ室１内は急速に昇温するが、室温が設定温度( 好適には６０℃ )に達すると、温度センサ５からの検知信号に基づくコントローラ６の指令によつてメインヒータ４が停止し、以降は要所に配置した計８基のパネルヒータ３…  により、サウナ室１内の全体が均一に該設定温度付近に保たれる。また、患者や医師及び看護者の出入り等に伴つてサウナ室１内の室温低下を生じても、温度センサ５からの検知信号でコントローラ６がメインヒータ４を一時的に稼働させることにより、直ちに設定温度に復帰する。
【００２０】
サウナ室１に入室した患者は、温熱治療用ベッド２に楽な姿勢で横たわった状態、もしくはベンチ７に腰掛けた状態で、コントローラ６にタイマー設定された一定時間( 一般的に１５分間) の温熱治療を受ける。しかして、温熱治療用ベッド２側では当該ベッド２に沿う壁際とベッド床部２ａ下のパネルヒータ３…  により、またベンチ７側でも当該ベンチ７に沿う壁際と座部７ａ下及び通路床１２ａ下のパネルヒータ３…  により、頭頂からつま先に至るまでま近から穏やかに加温される一方、治療中のメインヒータ４が温度低下時以外は停止し、且つ位置的に患者から離れているから、温熱治療に最適な温度条件が極めて安定に維持され、もつて患者の負担を極力少なくして安全性を確保しつつ、優れた温熱治療効果を発揮できる。なお、温熱治療後の患者は、サウナ室１を出て、バスタオルや毛布で全身を覆つた状態で図１に示す簡易ベッド９に横たわり、３０分程度を安静にする。
【００２１】
なお、本実施形態の温熱治療用サウナ装置では、ベッド床部２ａ、ベンチ７の座板７ａ、室内通路床部１２ａが簀の子構造をなすから、その下方のパネルヒータ３にて加温された下部空間の空気が簀の子構造の隙間から上昇し、もつてサウナ室１内が効率よく温められ、それだけ熱効率が向上してエネルギーコストの低減に繋がる。また、温熱治療用ベッド２の対向位置にベンチ７が配置され、いずれの側でも壁際と下方のパネルヒータよる加温を受けるから、患者の身体状況に応じてベッド２とベンチ７を使いわけたり、両方を用いて複数の患者に同時に温熱治療用を施すことも可能となる上、サウナ室１の対向する両側にパネルヒータ３…  が配置する形になるから、サウナ室１内の全体をより均一に設定温度付近に保つことができる。
【００２２】
更に、本発明の温熱治療用均等低温サウナ装置は、各部の細部構成と配置については実施形態以外に種々設計変更可能であると共に、サウナ室１の躯体各部のパネル材、ベッド２及びベンチ７、パネルヒータ３…  とメインヒータ４、コントローラ６、温度センサ５や照明具１８等の付属機器を規格化し、これらを１セットとして簡易に組立可能な温熱治療用サウナユニットを構成してもよい。
【図面の簡単な説明】
【００２３】
【図１】本発明の一実施形態に係る温熱治療用均等低温サウナ装置を設置した治療棟の一部を示す横断平面図である。
【図２】同温熱治療用均等低温サウナ装置の横断平面図である。
【図３】図２のＡ―Ａ線の断面矢祝図である。
【図４】図２のＢ―Ｂ線の断面矢視図である。
【図５】図２のＣ一Ｃ線の断面矢視図である。
【図６】図２のＤ一Ｄ線の断面矢視図である。
【符号の説明】
【００２４】
１    サウナ室
１１ａ  ベッド側の内壁
１１ｂ  ベンチ側の内壁
１２ａ  室内通路床部
２    温熱治療用ベッド
２ａ  ベッド床部
３    電熱式遠赤外線パネルヒータ
４    電熱式遠赤外線メインヒータ
５    温度センサ
６    コントローラ
７    ベンチ
７ａ  ベンチ座板
【図１】
2008142397.tif 000003
【図２】
2008142397.tif 000004
【図３】
2008142397.tif 000005
【図４】
2008142397.tif 000006
【図５】
2008142397.tif 000007
【図６】
2008142397.tif 000008